(57)【要約】【課題】商品ごとに既存のＥＣサイトの商品購入ページへのリンクが設定された電子チラシを短時間で正確に制作する。【解決手段】電子チラシ制作装置２は、ＤＴＰアプリケーション２１の機能によって、紙媒体用原稿データ３１を作成する。紙媒体用原稿データ３１には、商品ごとに商品識別オブジェクト４１が配置される。電子チラシ制作装置２は、位置座標抽出ツール２２の機能によって、紙媒体用原稿データ３１に基づいて、チラシの紙面に配置された商品識別オブジェクト４１の位置座標を抽出し、紙面データ３２、位置座標リスト３３を作成する。電子チラシ制作装置２は、電子チラシ作成ツール２３の機能によって、紙面データ３２、位置座標リスト３３、リンク情報リスト３４に基づいて、電子チラシ３５を作成する。電子チラシ３５は、紙面データ３６、参照リスト３７、ＥＣサイト情報反映プログラム３８、チラシ閲覧プログラム３９等を含む。【選択図】図３
2011070433.tif 000002
【特許請求の範囲】
【請求項１】
ＤＴＰ編集データと、取扱商品を識別する情報と商品購入ページのＵＲＬを対応付けたリンク情報リストと、から、チラシを表示するための画像データである紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、を含む電子チラシを制作する電子チラシ制作装置であって、
前記ＤＴＰ編集データを読み込み前記紙面データに変換する紙面データ変換手段と、
取扱商品を一意に識別する商品識別情報を示す商品識別オブジェクトの検索条件を指定し、前記商品識別オブジェクトの紙面上の位置座標を抽出して位置座標リストを作成する位置座標リスト作成手段と、
前記リンク情報リストと前記位置座標リストを参照して前記参照リストを作成する参照リスト作成手段と、
を具備することを特徴とする電子チラシ制作装置。
【請求項２】
閲覧プログラムと、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、を含んで構成され、ネットワーク通信手段を備えたコンピュータのモニタ画面上で閲覧される電子チラシであって、
前記閲覧プログラムは、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させるプログラムである
ことを特徴とする電子チラシ。
【請求項３】
前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることを特徴とする請求項２に記載の電子チラシ。
【請求項４】
前記ＥＣサイト情報反映プログラムは、前記ＥＣサイトの管理サーバが保持する価格変更の予約情報を取得し、前記リンクエリアの領域または周辺に、価格変更までの時間または価格変更済を示すオブジェクトを表示するものであることを特徴とする請求項２に記載の電子チラシ。
【請求項５】
前記ＥＣサイト情報反映プログラムは、前記ＥＣサイトの管理サーバが保持する商品の在庫情報を取得し、前記リンクエリアの領域または周辺に、商品の在庫数を示すオブジェクトを表示するものであることを特徴とする請求項２に記載の電子チラシ。
【請求項６】
前記ＥＣサイト情報反映プログラムは、当該電子チラシを閲覧しているユーザを識別し、前記ユーザに応じた情報を前記ＥＣサイトの管理サーバから取得することを特徴とする請求項２に記載の電子チラシ。
【請求項７】
前記ＥＣサイト情報反映プログラムは、当該電子チラシを閲覧しているユーザが小売店販売担当者の場合には、前記ＥＣサイトの管理サーバが保持する売上情報、在庫・発注状況情報、前年成績情報の少なくとも一つを、前記リンクエリアの領域または周辺に表示するものであることを特徴とする請求項２に記載の電子チラシ。
【請求項８】
紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧する電子チラシ閲覧装置であって、
ネットワーク通信手段と、表示手段と、チラシ閲覧手段と、を備え、
前記チラシ閲覧手段は、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させることを特徴とする電子チラシ閲覧装置。
【請求項９】
前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることを特徴とする請求項８に記載の電子チラシ閲覧装置。
【請求項１０】
紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧可能な端末と、前記電子チラシを配信する電子チラシ配信サーバと、ＥＣサイトを管理するＥＣサイト管理サーバとがネットワークを介して接続される電子チラシシステムであって、
前記電子チラシ配信サーバは、前記電子チラシを前記端末に配信する配信手段、を具備し、
前記ＥＣサイト管理サーバは、前記端末からの要求に従って、自らが保持する情報を前記端末に送信する送信手段、を具備し、
前記端末は、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させるチラシ閲覧手段、
を具備することを特徴とする電子チラシシステム。
【発明の詳細な説明】
【技術分野】
【０００１】
本発明は、既存のＥＣサイトと連携する電子チラシを制作する電子チラシ制作装置等に関するものである。
【背景技術】
【０００２】
商品の広告、宣伝を印刷した印刷物であるチラシは、日々の特売情報、イベント情報などが掲載されており、顧客の購買意欲を促進する効果がある。
現在、このような紙媒体のチラシをスキャナで読み取り、画像データとしてＰＣ（パーソナルコンピュータ）、デジタルテレビ、携帯電話、モバイル端末、通信機能搭載のゲーム機等で閲覧可能な電子チラシが実用化されている。電子チラシは、ビューアと呼ばれる閲覧アプリケーションによって閲覧する。一般的な電子チラシ用ビューアでは、画像の拡大縮小、スクロール機能などに加えて、画像の特定の位置をクリックすると別のＷｅｂサイトにリンクするリンク機能を有する。このようなリンク機能を活用し、電子チラシに掲載されている商品ごとに、ＥＣサイトの商品購入ページへと誘導する試みがなされている。
【０００３】
しかしながら、紙媒体のチラシをスキャンした画像データを原稿とする場合、前述の試みを実現するためには、商品ごとにリンク先を設定するという膨大な手作業が発生する。従って、現状では、商品ごとにＥＣサイトの商品購入ページへ誘導できる電子チラシを作成するためには莫大な費用と時間がかかっている。
また、紙媒体のチラシをスキャナ入力するのではなく、チラシのＤＴＰ編集データに基づいてリンクを付加した電子チラシを制作する方法もあるが、リンクを付加する作業自体は同じであり、極めて煩雑な作業を行わなければならないことには変わりはない。
【０００４】
前述の課題を解決するための従来技術としては、特許文献１〜３に記載された要素技術がある。特許文献１〜３に記載された技術は、チラシなどの広告印刷物の原稿データをＰＣによって編集するためのＤＴＰ（Ｄｅｓｋ  Ｔｏｐ  Ｐｕｂｌｉｓｈｉｎｇ）システムに係るものである。ＤＴＰシステムでは、通常、チラシに掲載する商品のデータ（商品名、価格、商品画像など）を管理し、管理されているデータを用いて広告印刷物のレイアウトを編集する。
【０００５】
特許文献１では、ＤＴＰシステムによって編集された原稿データ（特許文献１では商品データ）から、紙面における構成部品（文字ボックス、画像など）の属性情報（文字ボックスであれば文字のフォント、スタイル、サイズ、カラーなど、画像であれば画像ファイルの拡張子、ファイル名、ファイル名の文字数など）に基づいて、位置情報（構成部品の領域が矩形であれば始点座標と終点座標）を取得する技術が記載されている。また、取得した位置情報の利用形態の一つとして、リンク情報を設定する技術が記載されている。
【０００６】
特許文献２では、ＤＴＰシステムによって編集された原稿データ（特許文献２では印刷製版データ）から、必要な項目の情報を自動的に拾ってデータベースに登録可能なテキストデータファイルを生成する技術が記載されている。
【０００７】
特許文献３の段落[０００２]〜[０００５]には、原稿データの紙面における文字Ｂｏｘオブジェクトに対し、「非表示テキスト」を持たせて、一定の記述ルールを設けることにより、外部関数を呼び出す技術が記載されている。外部関数としては、現在の日付を文字列にして生成する関数が例示されている。
【先行技術文献】
【特許文献】
【０００８】
【特許文献１】特開２００５−２０８７０６号公報
【特許文献２】特開２００２−３５１８９５号公報
【特許文献３】特開２００２−３５８３００号公報
【発明の概要】
【発明が解決しようとする課題】
【０００９】
しかしながら、特許文献１〜３の技術はあくまでも要素技術であり、既存のＥＣサイトシステムと連携する電子チラシを制作、提供するという観点からは十分ではない。前述の通り、電子チラシは日々の特売情報、イベント情報などを掲載する性質上、制作時間が短い。一方で、リンクの設定漏れなどがあると、顧客をＥＣサイトに誘導することができず、販売機会を損失することになる。従って、リンクの１つ１つが正しくリンク設定されているか検査する必要がある。少ない作業量でリンク設定ミスを減らす仕組みが望まれる。
また、単にリンクを設定するだけでは、ＥＣサイトと連携しているとは言えず、十分な販促効果が出ない。例えば、ＥＣサイトにおける顧客の購買行動などを電子チラシに反映する仕組みが望まれる。
【００１０】
本発明は、前述した問題点に鑑みてなされたもので、その目的とすることは、商品ごとに既存のＥＣサイトの商品購入ページへのリンクが設定された電子チラシを短時間で正確に制作することができる電子チラシ制作装置等を提供することである。また、ＥＣサイトと連携し、販促効果の高い電子チラシ等を提供することである。
【課題を解決するための手段】
【００１１】
前述した目的を達成するために第１の発明は、ＤＴＰ編集データと、取扱商品を識別する情報と商品購入ページのＵＲＬを対応付けたリンク情報リストと、から、チラシを表示するための画像データである紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、を含む電子チラシを制作する電子チラシ制作装置であって、前記ＤＴＰ編集データを読み込み前記紙面データに変換する紙面データ変換手段と、取扱商品を一意に識別する商品識別情報を示す商品識別オブジェクトの検索条件を指定し、前記商品識別オブジェクトの紙面上の位置座標を抽出して位置座標リストを作成する位置座標リスト作成手段と、前記リンク情報リストと前記位置座標リストを参照して前記参照リストを作成する参照リスト作成手段と、を具備することを特徴とする電子チラシ制作装置である。第１の発明によって、取扱商品ごとに既存のＥＣサイトの商品購入ページへのリンクが設定された電子チラシを短時間で正確に制作することができる。
【００１２】
第２の発明は、閲覧プログラムと、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、を含んで構成され、ネットワーク通信手段を備えたコンピュータのモニタ画面上で閲覧される電子チラシであって、前記閲覧プログラムは、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させるプログラムであることを特徴とする電子チラシである。第２の発明の電子チラシによって、ＥＣサイトと連携し、高い販促効果を得ることができる。
【００１３】
第２の発明における前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることが望ましい。これによって、ユーザは電子チラシ上で既に購入した商品の一覧を確認することができるので、商品を購入するたびに電子チラシを繰り返し確認するようになり、高い販促効果を得られる。
【００１４】
第２の発明における前記ＥＣサイト情報反映プログラムは、前記ＥＣサイトの管理サーバが保持する価格変更の予約情報を取得し、前記リンクエリアの領域または周辺に、価格変更までの時間または価格変更済を示すオブジェクトを表示するものであることが望ましい。これによって、特価販売がいつ終わるのか、また既に終わってしまったのかをユーザに知らせることができ、ユーザが価格を勘違いして購入することを防ぐことができる。
【００１５】
第２の発明における前記ＥＣサイト情報反映プログラムは、前記ＥＣサイトの管理サーバが保持する商品の在庫情報を取得し、前記リンクエリアの領域または周辺に、商品の在庫数を示すオブジェクトを表示するものであることが望ましい。これによって、電子チラシにおいて一覧形式でユーザに在庫数を知らせることができるので、ユーザは残り少ない商品から商品購入ページを確認し、購入機会の喪失を防ぐことができる。
【００１６】
第２の発明における前記ＥＣサイト情報反映プログラムは、当該電子チラシを閲覧しているユーザを識別し、前記ユーザに応じた情報を前記ＥＣサイトの管理サーバから取得することが望ましい。これによって、ユーザごとに適切な情報を電子チラシに反映することができる。
【００１７】
第２の発明における前記ＥＣサイト情報反映プログラムは、当該電子チラシを閲覧しているユーザが小売店販売担当者の場合には、前記ＥＣサイトの管理サーバが保持する売上情報、在庫・発注状況情報、前年成績情報の少なくとも一つを、前記リンクエリアの領域または周辺に表示するものであることが望ましい。これによって、小売店販売担当者は、電子チラシの広告効果を電子チラシ上で直接確認することができる。
【００１８】
第３の発明は、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧する電子チラシ閲覧装置であって、ネットワーク通信手段と、表示手段と、チラシ閲覧手段と、を備え、前記チラシ閲覧手段は、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させることを特徴とする電子チラシ閲覧装置である。第３の発明の電子チラシ閲覧装置によって、ＥＣサイトと連携し、高い販促効果を得ることができる。
【００１９】
前記第３の発明における前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることが望ましい。これによって、ユーザは電子チラシ上で既に購入した商品の一覧を確認することができるので、商品を購入するたびに電子チラシを繰り返し確認するようになり、高い販促効果を得られる。
【００２０】
第４の発明は、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧可能な端末と、前記電子チラシを配信する電子チラシ配信サーバと、ＥＣサイトを管理するＥＣサイト管理サーバとがネットワークを介して接続される電子チラシシステムであって、前記電子チラシ配信サーバは、前記電子チラシを前記端末に配信する配信手段、を具備し、前記ＥＣサイト管理サーバは、前記端末からの要求に従って、自らが保持する情報を前記端末に送信する送信手段、を具備し、前記端末は、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させるチラシ閲覧手段、を具備することを特徴とする電子チラシシステムである。第４の発明の電子チラシシステムによって、ＥＣサイトと連携し、高い販促効果を得ることができる。
【発明の効果】
【００２１】
本発明により、商品ごとに既存のＥＣサイトの商品購入ページへのリンクが設定された電子チラシを短時間で正確に制作することができる電子チラシ制作装置等を提供することができる。また、ＥＣサイトと連携し、販促効果の高い電子チラシ等を提供することができる。
【図面の簡単な説明】
【００２２】
【図１】電子チラシシステム１の概要図
【図２】コンピュータのハードウエア構成図
【図３】電子チラシ制作装置２の機能ブロック図
【図４】電子チラシ制作処理のフローチャート
【図５】紙面データ３２の一部を切り出した画像例
【図６】商品識別オブジェクト４１の位置座標を説明する図
【図７】位置座標抽出ツール２２の検索条件入力画面例
【図８】位置座標リスト３３の一例
【図９】リンク情報リスト３４の一例
【図１０】電子チラシ作成ツール２３の設定画面例
【図１１】参照リスト３７の一例
【図１２】電子チラシ作成ツール２３の確認画面例
【図１３】チラシ閲覧プログラム３９のフローチャート
【図１４】ＥＣサイト情報反映プログラム３８のフローチャート
【図１５】登録済を示すオブジェクト２０３を示す画像例
【図１６】電子チラシ閲覧処理の一例を示すフローチャート
【図１７】電子チラシ３５とＥＣサイトの連動を説明する図
【図１８】価格変更までの時間を示す吹き出しオブジェクト２０５を示す画像例
【図１９】価格変更済を示す吹き出しオブジェクト２０５を示す画像例
【図２０】商品の在庫数を示す吹き出しオブジェクト２０５を示す画像例
【発明を実施するための形態】
【００２３】
以下図面に基づいて、本発明の実施形態を詳細に説明する。
最初に、図１、図２を参照して本発明の実施形態に係るハードウエア構成について説明する。
【００２４】
図１は、電子チラシシステム１の概要図である。図１に示すように、電子チラシシステム１は、電子チラシ制作装置２、電子チラシ配信サーバ３、ＥＣサイト管理サーバ４、端末５が、必要に応じてネットワークを介して接続されることにより構成されている。
【００２５】
電子チラシ制作装置２は、電子チラシを制作するコンピュータである。電子チラシ制作装置２は、ＤＴＰアプリケーションプログラム、電子チラシオーサリングアプリケーションプログラム、本発明の実施形態に特有の機能を実現するプログラム等がインストールされ、後述する処理を実行する。
【００２６】
電子チラシ配信サーバ３は、電子チラシを配信するコンピュータである。電子チラシ配信サーバ３は、端末５のウェブブラウザ、または電子チラシ閲覧ビューアにて指定された、自らが保持する電子チラシを端末５に送信する。
【００２７】
ＥＣサイト管理サーバ４は、ＥＣ（Ｅｌｅｃｔｒｏｎｉｃ  Ｃｏｍｍｅｒｃｅ：電子商取引）サイトを管理するコンピュータである。ＥＣサイトは、商品やサービスをインターネット上で販売しているサイトである。本発明の実施の形態では、ＥＣサイトとは、複数の商店主のページを一つのサイトにまとめた電子商店街（「ネット商店街」、「オンラインモール」などとも言う。）も含むものである。ＥＣサイト管理サーバ４は、商品ごとに商品購入ページを保持し、ショッピングカート（「買い物かご」とも言う。）を利用して顧客との決済を行う。商品購入ページにおいて購入ボタンが押下されると、対象の商品がショッピングカートに登録される。ショッピングカートに登録された商品は、纏めて決済することができる。
【００２８】
端末５は、電子チラシを閲覧するコンピュータである。端末５には、電子チラシ閲覧ビューア等がインストールされ、後述する処理を実行する。端末５は、汎用的なコンピュータに代えて、デジタルテレビ、携帯電話、モバイル端末、通信機能搭載のゲーム機などで実現することもできる。
【００２９】
図２は、コンピュータのハードウエア構成図である。尚、図２のハードウエア構成は一例であり、用途、目的に応じて様々な構成を採ることが可能である。図２に示すように、コンピュータは、制御部１１、記憶部１２、メディア入出力部１３、通信制御部１４、入力部１５、表示部１６、周辺機器Ｉ／Ｆ部１７等が、バス１８を介して接続される。
【００３０】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１２、ＲＯＭ、記録媒体等に格納されるプログラムをＲＡＭ上のワークメモリ領域に呼び出して実行し、バス１８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３１】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。
これらの各プログラムコードは、制御部１１により必要に応じて読み出されてＲＡＭに移され、ＣＰＵに読み出されて各種の手段として実行される。
【００３２】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部１４は、通信制御装置、通信ポート等を有し、コンピュータとネットワーク６間の通信を媒介する通信インタフェースであり、ネットワーク６を介して、他のコンピュータ間との通信制御を行う。
【００３３】
入力部１５は、データの入力を行い、例えば、キーボード、マウス等のポインティングデバイス、テンキー等の入力装置を有する。
入力部１５を介して、コンピュータに対して、操作指示、動作指示、データ入力等を行うことができる。
表示部１６は、液晶パネル等のディスプレイ装置、ディスプレイ装置と連携してコンピュータのビデオ機能を実現するための論理回路等（ビデオアダプタ等）を有する。
【００３４】
周辺機器Ｉ／Ｆ（インタフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス１８は、各装置間の制御信号、データ信号等の授受を媒介する経路である。
【００３５】
次に、図３、図４を参照しながら、電子チラシ制作装置２の機能について説明する。図３は、電子チラシ制作装置２の機能ブロック図である。
【００３６】
電子チラシ制作装置２は、ＤＴＰアプリケーション２１、位置座標抽出ツール２２、電子チラシ作成ツール２３等のプログラムがインストールされる。尚、図示はしていないが、電子チラシ制作装置２は、電子チラシオーサリングアプリケーションプログラムもインストールされる。電子チラシオーサリングアプリケーションプログラムの機能は、電子チラシ作成ツール２３の実行時に利用される。また、図示はしていないが、電子チラシ制作装置２は、制作した電子チラシ３５の動作確認するため、電子チラシ閲覧ビューアのプログラムがインストールされても良い。
尚、電子チラシ制作装置２は、複数のコンピュータで構成されても良い。例えば、ＤＴＰアプリケーション２１、位置座標抽出ツール２２のプログラムがインストールされたコンピュータと、電子チラシオーサリングアプリケーションプログラム、電子チラシ作成ツール２３、電子チラシ閲覧ビューアのプログラムがインストールされたコンピュータによって構成されても良い。
【００３７】
ＤＴＰアプリケーション２１は、紙媒体のチラシの文字組版、イラスト作成、レイアウトなどの作業を行うための機能を提供する。ＤＴＰアプリケーション２１の機能によって、電子チラシ制作装置２の制御部１１は、ＤＴＰ編集データである紙媒体用原稿データ３１を作成し、記憶部１２に記憶する。紙媒体用原稿データ３１には、文字、図形、画像などがオブジェクトとして配置されている。
【００３８】
図４は、紙媒体用原稿データ３１の一部を切り出した画像例である。図４は、説明に必要な部分のみを切り出した画像であり、紙面全体としては、数十〜数百個の商品が、商品ごとに異なるレイアウトで掲載される。
図４には、例えば、商品「黒毛和牛はらみ１００ｇ」に対して、商品名や価格の文字列を含む図形（枠線なし、背景の塗りつぶしなしのテキストフレーム）、商品の画像に加えて、商品識別オブジェクト４１である「５Ａ０１２３」（申込番号）の文字列を含む図形が配置されている。申込番号は、商品を一意に識別する商品識別情報である。紙媒体用原稿データ３１には、商品ごとに商品識別オブジェクト４１が配置される。
これらのオブジェクトは、重ねて配置することができる。例えば２つのオブジェクトを重ねて配置する場合、どちらのオブジェクトを前面に表示するかを指定する。図４の例では、商品の画像を背面とし、商品の画像に重ねて、商品名や価格のテキストフレーム、商品識別オブジェクト４１が配置されている。
【００３９】
位置座標抽出ツール２２は、紙媒体用原稿データ３１に基づいて、チラシの紙面に配置された商品識別オブジェクト４１の位置座標を抽出するための機能を提供する。また、位置座標抽出ツール２２は、ウエブに掲載するための紙面全体の画像データ（例えば、ＪＰＥＧ形式の画像データ）である紙面データ３２を書き出すための機能を提供する。位置座標抽出ツール２２の機能によって、電子チラシ制作装置２の制御部１１は、紙面データ３２、位置座標リスト３３を作成し、記憶部１２に記憶する。
【００４０】
電子チラシ作成ツール２３は、紙面データ３２、位置座標リスト３３、リンク情報リスト３４に基づいて、電子チラシ３５を作成するための機能を提供する。電子チラシ作成ツール２３の機能によって、電子チラシ制作装置２の制御部１１は、電子チラシ３５を作成し、記憶部１２に記憶する。電子チラシ３５は、紙面データ３６、参照リスト３７、ＥＣサイト情報反映プログラム３８、チラシ閲覧プログラム３９（電子チラシ閲覧ビューアのプログラム）等を含むものである。
【００４１】
次に、図５〜図１２を参照しながら、電子チラシ制作処理について説明する。以下では、図５を説明する中で、必要に応じて図６〜図１２を参照する。
図５は、電子チラシ制作処理のフローチャートである。電子チラシ制作処理は、電子チラシ制作装置２が実行する。
【００４２】
図５に示すように、電子チラシ制作装置２の制御部１１は、ＤＴＰアプリケーション２１の機能によって、紙媒体用原稿データ３１を作成する（Ｓ１０１）。電子チラシ制作装置２の制御部１１は、入力部１５を介したユーザからの指示に従って、商品ごとに商品識別オブジェクト４１を配置する。商品識別オブジェクト４１は、商品の画像などに重ねて配置することが可能である。但し、商品識別オブジェクト４１にはリンクが設定されるので、商品識別オブジェクト４１同士を重ねて配置することは好ましくない。
【００４３】
次に、電子チラシ制作装置２の制御部１１は、位置座標抽出ツール２２の機能によって、位置座標リスト３３を作成する（Ｓ１０２）。電子チラシ制作装置２の制御部１１は、位置座標抽出ツール２２の検索条件入力画面を表示部１６に表示し、入力部１５を介して入力されたデータに基づいて位置座標リスト３３を作成する。
【００４４】
図６は、商品識別オブジェクト４１の位置座標を説明する図である。図６に示す商品識別オブジェクト４１は、「５Ａ０１２３」の文字列を含むテキストフレームである。この場合、商品識別オブジェクト４１の位置座標は、テキストフレームの左上座標（ｘ１、ｙ１）と右下座標（ｘ２、ｙ２）によって決まる。この２点の座標によってリンクを設定する矩形領域が定義される。複数のオブジェクトをグループ化した場合は、グループ化した複数のオブジェクト全体に対応した矩形領域が定義される。
【００４５】
紙媒体用原稿データ３１には、テキストフレームに含まれる文字列、テキストフレームの位置座標等が含まれている。また、紙媒体用原稿データ３１には、文字列の文字スタイル、フォント、文字色、フォントサイズなども含まれている。
本発明の実施の形態では、ユーザは、商品識別オブジェクト４１の文字列に使用する文字スタイル、フォント、文字色、フォントサイズのいずれか、または複数を商品識別オブジェクト４１の文字属性として統一する。また、ユーザは、他のオブジェクトには商品識別オブジェクト４１の文字属性を使用せずに紙面をデザインする。
そして、電子チラシ制作装置２の制御部１１は、文字スタイル、フォント、文字色、フォントサイズなどを検索条件として、紙媒体用原稿データ３１から商品識別オブジェクト４１のテキストフレーム（申込番号の文字列を含むテキストフレーム）を検索する。
これによって、電子チラシ制作装置２の制御部１１は、紙面に含まれる全ての商品識別オブジェクト４１の位置座標を過不足なく取得することができる。また、ユーザは、作成したテキストフレームが商品識別オブジェクト４１かどうかを入力する必要はなく、従来通りのレイアウト作業を行えば良い。尚、同じ意味を持つオブジェクトの文字属性を統一することは、通常行われていることであり、ユーザにとって特別な作業ではない。
また、商品識別オブジェクト４１は、例えば、「５Ａ０１２３」の文字列を含むテキストフレームと、「申込番号」の文字列を含むテキストフレームがグループ化された図形であっても良い。この場合、「申込番号」の文字列を検索条件とすることができる。
【００４６】
図７は、位置座標抽出ツール２２の検索条件入力画面例である。図７に示す検索条件入力画面は、商品識別オブジェクト４１のテキストフレームを検索するための検索条件を入力する画面である。検索条件としては、図７に示す検索文字スタイル５１、検索フォント５２、検索文字色５３、検索フォントサイズ５４の中で１つ、または複数の条件を指定することができる。尚、当然ながら、検索条件はこれらに限定されるものではない。
図７に示す例では、検索フォント５２に「ＤＮＰゴシック」が指定されている。この状態で、ユーザが入力部１５を介して検索ボタン５５を押下すると、電子チラシ制作装置２の制御部１１は、紙媒体用原稿データ３１から検索フォント５２が「ＤＮＰゴシック」の文字列を含むテキストフレームを検索する。次に、電子チラシ制作装置２の制御部１１は、検索したテキストフレームの文字列、位置座標を取得し、それらを対応付けて１レコードとし、位置座標リスト３３に書き出す。電子チラシ制作装置２の制御部１１は、検索した全てのテキストフレームに対して、文字列と位置座標の書き出しを行う。
ユーザが入力部１５を介してキャンセルボタン５６を押下すると、位置座標抽出処理を終了する。
【００４７】
図８は、位置座標リスト３３の一例である。位置座標リスト３３は、申込番号６１、左上Ｘ座標６２、左上Ｙ座標６３、右下Ｘ座標６４、右下Ｙ座標６５を含む。図８に示す例では、例えば、申込番号６１が「５Ａ０１２３」のデータは、左上Ｘ座標６２が「４９」、左上Ｙ座標６３が「１１１」、右下Ｘ座標６４が「９２」、右下Ｙ座標６５が「８１」である。座標数字の単位はチラシ紙面イメージの１ピクセルである。
【００４８】
図５の説明に戻ると、電子チラシ制作装置２の制御部１１は、位置座標抽出ツール２２の機能によって、紙面データ３２を作成する（Ｓ１０３）。紙面データ３２は紙媒体用原稿データ３１の紙面全体の画像データであり、端末５の表示部１６に表示されたときに見易いように、サイズ、解像度などが変更されたものである。Ｓ１０３で作成された紙面データ３２では、商品識別オブジェクト４１も画像データに変換されている。
【００４９】
次に、電子チラシ制作装置２の制御部１１は、リンク情報リスト３４を入力する（Ｓ１０４）。リンク情報リスト３４は、例えば、ＥＣサイト管理サーバ４からネットワーク６を介して受信するようにしても良いし、メディア入出力部１３を介してメディアから入力しても良い。
【００５０】
図９は、リンク情報リスト３４の一例である。リンク情報リスト３４は、申込番号７１、商品購入ページのＵＲＬ７２を含む。図９に示す例では、例えば、申込番号７１が「５Ａ０１２３」のデータは、商品購入ページのＵＲＬ７２が「ｈｔｔｐ：／／ｗｗｗ．ｘｘｘ．ｃｏ．ｊｐ／５Ａ０１２３．ｈｔｍｌ」である。
【００５１】
図５の説明に戻ると、電子チラシ制作装置２の制御部１１は、参照リスト３７を作成する（Ｓ１０５）。電子チラシ制作装置２の制御部１１は、電子チラシ作成ツールの設定画面を表示部１６に表示し、入力部１５を介して入力されたデータに基づいて参照リスト３７を作成する。参照リスト３７は、電子チラシ閲覧ビューアによって紙面データ３６が表示されるときに参照される。
【００５２】
図１０は、電子チラシ作成ツール２３の設定画面例である。図１０に示す設定画面は、ページごとに、紙面データ３２、位置座標リスト３３、リンク情報リスト３４の保存されているディレクトリを指定するための画面である。図１０に示す通り、設定画面は、紙面の追加ボタン９１、紙面の削除ボタン９２、紙面タブ９３、紙面データのディレクトリ指定領域９４、位置座標リストのディレクトリ指定領域９５、リンク情報リストのディレクトリ指定領域９６、ＯＫボタン９７、キャンセルボタン９８を含む。
【００５３】
紙面の追加ボタン９１は、紙面タブ９３の追加を指示するためのボタンである。紙面の削除ボタン９２は、紙面タブ９３の削除を指示するためのボタンである。紙面タブ９３は、電子チラシの１枚の紙面に対応する。例えば、電子チラシが両面の場合、２つの紙面タブ９３において、紙面データ３２等のディレクトリを指定する。
紙面データのディレクトリ指定領域９４、位置座標リストのディレクトリ指定領域９５、リンク情報リストのディレクトリ指定領域９６は、それぞれ、紙面データ３２、位置座標リスト３３、リンク情報リスト３４の保存されているディレクトリを指定するための領域である。
ＯＫボタン９７は、参照リスト３７の作成を指示するためのボタンである。キャンセルボタン９８は、処理の終了を指示するためのボタンである。
【００５４】
ユーザが、紙面データ３２、位置座標リスト３３、リンク情報リスト３４の保存されているディレクトリを指定し、ＯＫボタン９７を押下すると、電子チラシ制作装置２の制御部１１は、位置座標リスト３３、リンク情報リスト３４のマッチング処理を実行する。マッチング処理は、例えば、位置座標リスト３３に含まれる申込番号に対して、リンク情報リスト３４に一致する申込番号が存在するかどうか検索する。電子チラシ制作装置２の制御部１１は、申込番号ごとに、位置座標、商品購入ページのＵＲＬが紐付けられた参照リスト３７を作成する。また、合わせて紙面データ３６を作成する。紙面データ３６は、紙面データ３２を電子チラシ閲覧ビューア用のファイル形式に変換したものである。
【００５５】
図１１は、参照リスト３７の一例である。図１１に示す例は、図８に示す位置座標リスト３３、図９に示すリンク情報リスト３４において、申込番号が「５Ａ０１２３」のデータに対するマッチング処理を行った結果である。参照リスト３７は、図１１に示すように、例えばＸＭＬ形式のファイルである。８１の＜ｉｔｅｍ＞から８８の＜／ｉｔｅｍ＞までが、一つのデータを示す。８２の＜ｏｒｄｅｒ＿ｎｏ＞は申込番号のタグ、８３の＜ｌｅｆｔ＿ｕｐｐｅｒ＿ｎｏ＞は左上Ｘ座標のタグ、８４の＜ｌｅｆｔ＿ｕｐｐｅｒ＿ｙ＞は左上Ｙ座標のタグ、８５の＜ｒｉｇｈｔ＿ｌｏｗｅｒ＿ｘ＞は右下Ｘ座標のタグ、８６の＜ｒｉｇｈｔ＿ｌｏｗｅｒ＿ｙ＞は右下Ｙ座標のタグ、８７の＜ｌｉｎｋ＿ｕｒｌ＞は商品購入ページのＵＲＬのタグである。
【００５６】
図１２は、電子チラシ作成ツール２３の確認画面例である。図１２に示す確認画面は、作成された参照リスト３７を確認するための画面である。図１２に示す通り、確認画面は、タイトル表示領域１０１、紙面画像表示領域１０２、紙面番号表示領域１０３、リンク機能有無表示領域１０４、画像サイズ表示領域１０５、リスト内容表示領域１０６、チラシ作成ボタン１０７を含む。
【００５７】
タイトル表示領域１０１は、電子チラシのタイトルを表示する領域である。紙面画像表示領域１０２は、紙面データ３６を表示する領域である。紙面番号表示領域１０３は、紙面番号を表示する領域である。リンク機能有無表示領域１０４は、リンク機能の有無を表示する領域である。画像サイズ１０５は、紙面データ３６の画像サイズを表示する領域である。リスト内容表示領域１０６は、参照リスト３７の内容を表示する領域である。リスト内容表示領域１０６の判定欄は、申込番号、左上Ｘ座標、左上Ｙ座標、右下Ｘ座標、右下Ｙ座標、商品購入ページのＵＲＬの全てがＮＵＬＬではない場合、「○」を表示する。一つでもＮＵＬＬがある場合、「Ｘ」を表示する。チラシ作成ボタン１０７は、電子チラシ３５の作成を指示するためのボタンである。
【００５８】
図５の説明に戻ると、電子チラシ制作装置２の制御部１１は、電子チラシ３５を作成し（Ｓ１０６）、記憶部１２に電子チラシ３５を保存する（Ｓ１０７）。ユーザが、図１２に示すチラシ作成ボタン１０７を押下すると、電子チラシ制作装置２の制御部１１は、コンパイルを行い、電子チラシ閲覧ビューアが実行可能なファイル形式の電子チラシ３５を作成する。作成された電子チラシ３５は、電子チラシ配信サーバ３の記憶部１２に記憶され、端末５に配信される。図３に示した通り、電子チラシ３５には、紙面データ３６、参照リスト３７、ＥＣサイト情報反映プログラム３８、チラシ閲覧プログラム３９を含む。
チラシ閲覧プログラム３９は、電子チラシを閲覧するためのビューアであり、コンピュータにインストールされるプログラムである。尚、チラシ閲覧プログラム３９は紙面データ３６等と別に配布するようにし、電子チラシ３５に含めなくても良い。チラシ閲覧プログラム３９については、図１３の説明にて後述する。
ＥＣサイト情報反映プログラム３８は、チラシ閲覧プログラム３９をインストールされたコンピュータが、ＥＣサイトの管理サーバ４にアクセスして、ＥＣサイトの管理サーバ４が保持する情報を取得し、紙面データ３６の所定の領域に表示するように機能させるためのプログラムである。ＥＣサイト情報反映プログラム３８については、図１４、図１５の説明にて後述する。
【００５９】
次に、図１３〜図１５を参照しながら、チラシ閲覧プログラム３９、ＥＣサイト情報反映プログラム３８について説明する。
【００６０】
図１３は、チラシ閲覧プログラム３９のフローチャートである。図１３に示すフローチャートは、電子チラシ３５をダウンロードした端末５（電子チラシ閲覧装置）の制御部１１が実行する。
端末５の制御部１１は、配信された電子チラシ３５に含まれるチラシ閲覧プログラム３９を起動し（Ｓ１２１）、紙面データ３６の読み込み（Ｓ１２２）、参照リスト３７の読み込み（Ｓ１２３）を行う。
次に、端末５の制御部１１は、読み込んだ参照リスト３７に基づいて、リンクエリアを設定し、紙面データ３６に重ねて、表示部１６に表示する（Ｓ１２４）。リンクエリアは、参照リスト３７の左上座標、右下座標によって決まる矩形オブジェクトであり、マウスのポインタがオンされると参照リスト３７のリンク先にリンクする機能を有する。リンクエリアは、例えば標準状態では不可視としておき、ユーザが可視、不可視を選択できるようにしても良い。リンクエリアを不可視とした場合であっても、マウスのポインタがオンされればリンクする。
【００６１】
次に、端末５の制御部１１は、電子チラシ３５に対する入力イベントが発生するまで待つ（Ｓ１２５）。本実施の形態に係る電子チラシ３５は、拡大・縮小、スクロール、ＥＣサイト遷移が可能である。
ユーザが、端末５の入力部１５を介して拡大縮小指定を行うと、端末５の制御部１１は、電子チラシ３５を拡大・縮小し、表示部１６に表示する（Ｓ１２６）。
また、ユーザが、端末５の入力部１５を介して紙面をドラッグすると、端末５の制御部１１は、電子チラシ３５をスクロールし、表示部１６に表示する（Ｓ１２７）。
また、ユーザが、端末５の入力部１６を介してリンクエリアをクリックすると、端末５の制御部１１は、参照リスト３７のリンク先のＥＣサイトに遷移する（Ｓ１２８）。
Ｓ１２６〜Ｓ１２８のいずれの処理を行った場合も、端末５の制御部１１は、ＥＣサイト管理サーバ４に対する前回アクセス時間から所定の時間が経過したかどうか確認する（Ｓ１３１）。これによって、ＥＣサイト管理サーバ４へのアクセスが集中することを防ぐことができる。
所定の時間が経過していない場合（Ｓ１３１のＮｏ）、端末５の制御部１１は、Ｓ１２５に進む。
所定の時間が経過している場合（Ｓ１３１のＹｅｓ）、端末５の制御部１１は、Ｓ１２９に進む。
Ｓ１２９では、ＥＣサイト情報反映プログラム３８を実行する。ＥＣサイト情報反映プログラム３８の実行後はＳ１２５に戻る。
ユーザが、端末５の入力部１５を介して閉じるボタンをクリックすると、端末５の制御部１１は、電子チラシ３５を閉じて処理を終了する（Ｓ１３０）。
【００６２】
このように、端末５の制御部１１は、ＥＣサイト管理サーバ４への前回アクセス時間から所定の時間を経過後に対話入力イベントを受けたとき（但し、閉じるボタンを除く。）、ＥＣサイト情報反映プログラム３８を実行する。
尚、前述の説明では、Ｓ１２１において、ダウンロードした電子チラシ３５に含まれるチラシ閲覧プログラム３９を起動するとしたが、既にインストールされているチラシ閲覧プログラム３９を起動するようにしても良い。この場合、配信される電子チラシ３５には、チラシ閲覧プログラム３９を含めなくても良い。
【００６３】
図１４は、ＥＣサイト情報反映プログラム３８のフローチャートである。図１４に示すフローチャートは、図１３のＳ１２９の詳細を示すものであり、端末５の制御部１１が実行する。
【００６４】
端末５の制御部１１は、現在時刻をセーブする（Ｓ１４１）。ここでセーブした時刻は、前述した図１３のＳ１３１において、ＥＣサイト管理サーバ４に対する前回アクセス時間として用いる。
【００６５】
Ｓ１４２では、端末５の制御部１１は、ネットワーク６を介して、ＥＣサイト管理サーバ４にアクセスし、ショッピングカート情報を要求する。ＥＣサイト管理サーバ４は、ネットワーク６を介して、ショッピングカート情報（ショッピングカートの登録状況を示す登録ファイル）を端末５に送信する（Ｓ１４３）。
【００６６】
Ｓ１４４では、端末５の制御部１１は、自らの記憶部１２に保持するショッピングカート情報を、受信したショッピングカート情報に基づいて更新する。具体的には、端末５の制御部１１は、前回アクセス時に受信した登録ファイルを今回アクセス時に受信した登録ファイルに置き換える。
【００６７】
Ｓ１４５では、端末５の制御部１１は、自らの記憶部１２に保持するショッピングカート情報に基づいて、ショッピングカートに登録されている商品（登録ファイルに申込番号が書き込まれている商品）に対応するリンクエリアの領域または周辺に、登録済を示すオブジェクトを表示する（Ｓ３０６）。これによって、ユーザは電子チラシ３５上で既に購入した商品の一覧を確認することができるので、商品を購入するたびに電子チラシ３５を繰り返し確認するようになり、高い販促効果を得られる。
【００６８】
図１５は、登録済を示すオブジェクト２０３を示す画像例である。図１５に示す例では、申込番号が「５Ａ０１２３」のリンクエリア２０１の領域または周辺に、登録済を示すオブジェクト２０３を示す画像（「カート登録中！」の文字を含み、カートを模擬した画像）が重ねて表示されている。
【００６９】
以上の説明によれば、本発明の実施形態では、短時間で商品ごとに商品購入ページへのリンクが設定された電子チラシ３５を制作することができる。また、リンク設定ミスおよびリンク設定漏れのない電子チラシ３５を制作することができる。また、ＥＣサイト情報反映プログラム３８を埋め込んだ電子チラシ３５を制作するので、ＥＣサイトと連携した販促効果の高い電子チラシ３５を制作することができる。
【００７０】
次に、図１６、図１７を参照しながら、電子チラシ閲覧処理について説明する。
【００７１】
図１６は、電子チラシ閲覧処理の一例を示すフローチャートである。尚、以下の説明では、端末５のユーザが、電子チラシの対象となるＥＣサイトにログイン済とする。また、Ｓ２０３、Ｓ２０４、Ｓ２０９は電子チラシ３５を表示する画面に関するステップ、Ｓ２０６、Ｓ２０７、Ｓ２１１、Ｓ２１３はＥＣサイトを表示する画面に関するステップである。
【００７２】
図１６に示すように、端末５の制御部１１は、ネットワーク６を介して、電子チラシ配信サーバ３に対して電子チラシ３５を要求する（Ｓ２０１）。電子チラシ配信サーバ３の制御部１１は、ネットワーク６を介して、端末５から要求された電子チラシ３５を端末５に配信する（Ｓ２０２）。
【００７３】
端末５の制御部１１は、受信した電子チラシ３５を表示部１６に表示する（Ｓ２０３）。ユーザが端末５の入力部１５を介して、電子チラシ３５の紙面データ３６に含まれるいずれかの申込番号に対応するリンクエリア２０１をクリックすると（Ｓ２０４）、端末５の制御部１１は、参照リスト３７を参照し、クリックされたリンクエリア２０１に対応する商品購入ページのＵＲＬを取得する。そして、端末５の制御部１１は、ネットワーク６を介して、ＥＣサイト管理サーバ４に対して、取得した商品購入ページのＵＲＬに係るウェブページを要求する。ＥＣサイト管理サーバ４の制御部１１は、ネットワーク６を介して、要求されたウェブページ（商品購入ページ）を端末５に送信する（Ｓ２０５）。
【００７４】
端末５の制御部１１は、受信した商品購入ページを表示部１６に表示する（Ｓ２０６）。ユーザが端末５の入力部１５を介して、商品購入ページの購入ボタンをクリックすると（Ｓ２０７）、端末５の制御部１１は、ネットワーク６を介して、ＥＣサイト管理サーバ４に対して、ショッピングカートへの登録を要求する。ＥＣサイト管理サーバ４の制御部１１は、購入ボタンがクリックされた商品をショッピングカートに登録する（Ｓ２０８）。ここで、ＥＣサイト管理サーバ４は、ユーザごとにショッピングカートの登録状況を示す登録ファイルを作成し、登録ファイルに申込番号を書き込む。ショッピングカートを利用して決済を行う場合、一般的なＥＣサイト管理サーバ４はこのような登録ファイルを作成している。従って、既存のＥＣサイト管理サーバ４に対して本発明を実施する場合も、大規模なプログラムの改修を行う必要はない。
【００７５】
商品の購入を続行する場合（Ｓ２１０のＹｅｓ）、Ｓ２０４またはＳ２０９に進む。Ｓ２０４では、端末５の制御部１１は、図１３のＳ１２８、Ｓ１２９の処理を実行する。また、Ｓ２０９では、端末５の制御部１１は、図１３のＳ１２５〜Ｓ１３０にて説明した電子チラシ３５に対する入力イベント処理を実行する。Ｓ２０４の場合、端末５の制御部１１は、ＥＣサイト情報反映プログラム３９を実行し（図１３のＳ１２９参照）、Ｓ２０８にて登録ファイルに登録された商品に対応するリンクエリア２０１の領域または周辺に、登録済を示すオブジェクトを表示する。また、Ｓ２０９において、拡大・縮小（図１３のＳ１２６参照）、スクロール（図１３のＳ１２７参照）を行った場合も同様にＥＣサイト情報反映プログラム３９を実行する（図１３のＳ１２９参照）。
商品の購入を続行しない場合（Ｓ２１０のＮｏ）、ユーザは端末５の入力部１５を介して、ＥＣサイトにおける決済ボタンをクリックする（Ｓ２１１）。端末５の制御部１１は、ネットワーク６を介して、ＥＣサイト管理サーバ４に対して、決済処理を要求する。ＥＣサイト管理サーバ４の制御部１１は、決済処理を実行し（Ｓ２１２）、決済結果を端末５に送信する。端末５の制御部１１は、決済結果を表示部１６に表示する（Ｓ２１３）。
【００７６】
このように、ユーザは、電子チラシ３５の紙面データ３６上で商品を次々に選択し、ＥＣサイトのショッピングカートに登録することができる。更に、ユーザは、ショッピングカートの登録状況を電子チラシ３５の紙面データ３６上で確認することができる。
尚、図１６に示した電子チラシ閲覧処理は一例であり、処理の順序はこれに限られない。特に、Ｓ２０９の電子チラシに対する入力イベント処理は、様々なタイミングで発生するものである。
【００７７】
図１７は、電子チラシ３５とＥＣサイトの連動を説明する図である。図１７は、端末５の表示部１６に表示される画面を模式的に示している。
（Ａ）は、図１６のＳ２０３、Ｓ２０４、Ｓ２０９の状態を示しており、前面に電子チラシ画面２１１ａ、背面にＥＣサイト画面２１３ａが表示されている。このように、端末５は、電子チラシ３５とＥＣサイトの画面を別々に表示する。ユーザは、電子チラシ画面２１１ａ上で商品を選定し、購入したい商品のリンクエリア２０１をクリックする。これによって、端末５の表示部１６は（Ｂ）の状態となる。
【００７８】
（Ｂ）は、図１６のＳ２０６の状態を示しており、前面にＥＣサイト画面２１３ｂ、背面に電子チラシ画面２１１ｂが表示されている。前面に表示されているＥＣサイト画面２１３ｂは、商品購入ページである。ユーザは、ＥＣサイト画面２１３ｂ上で商品の詳細を確認する。
【００７９】
（Ｃ）は、図１６のＳ２０７の状態を示しており、前面にＥＣサイト画面２１３ｃ、背面に電子チラシ画面２１１ｃが表示されている。前面に表示されているＥＣサイト画面２１３ｃは、商品購入ページである。ユーザは、ＥＣサイト画面２１３ｃ上でカートへ入れるボタン２１５をクリックする。これによって、端末５はショッピングカートに商品を登録する。
ユーザが、電子チラシ画面２１１ｃを選択すると、端末５の表示部１６は（Ａ）の状態となる。この場合、電子チラシ画面２１１ａには、ショッピングカートに登録された商品に対応するリンクエリア２０１の領域または周辺に、登録済を示すオブジェクト２０３が表示される。
【００８０】
このように、ユーザは、（Ａ）〜（Ｃ）における手順を繰り返すことで、ショッピングカートに購入したい商品を登録する。この際、ユーザは、電子チラシ画面上で、ショッピングカートに登録された商品を確認することができる。
尚、図１６では、電子チラシ画面とＥＣサイト画面が別々のウインドウとしたが、同じウインドウで異なるタブとしても良い。
【００８１】
次に、図１７から図２０を参照しながら、他のＥＣサイト情報反映プログラムについて説明する。他のＥＣサイト情報反映プログラムは、処理の流れについては図１４と同様であり、Ｓ１４３でＥＣサイト管理サーバ４から受け取る情報だけが異なる。
【００８２】
図１８は、価格変更までの時間を示す吹き出しオブジェクト２０５を示す画像例である。この例では、ＥＣサイトにおいて特価販売を止めて通常の価格による販売に戻すまでの時間を電子チラシ３５に表示する。
ＥＣサイト管理サーバ４は、商品ごとに価格変更を予約するための価格変更予約ファイルを記憶部１２に保持しておく。価格変更予約ファイルは、商品の申込番号、価格変更の時間、変更後の価格などのリストである。
図１４のＳ１４２のステップにおいて端末５がＥＣサイト管理サーバ４にアクセスし、Ｓ１４３のステップにおいてショッピングカート情報の代わりに価格変更ファイルを受信し、Ｓ１４４、Ｓ１４５の段階で価格変更予約ファイルに含まれる商品に対して、現在時刻から価格変更までの残り時間を算出し、リンクエリア２０１の領域または周辺に、価格変更までの時間を示すオブジェクト２０５を表示する。
図１８では、「特価販売まで残り５時間！」の文字を含む吹き出しオブジェクト２０５が表示されている。
【００８３】
図１９は、価格変更済を示す吹き出しオブジェクト２０５を示す画像例である。この例では、ＥＣサイトにおいて特価販売を止めて通常の価格による販売に戻したことを電子チラシ３５に表示する。
ＥＣサイト管理サーバ４は、商品ごとに価格変更を予約するための価格変更予約ファイルを記憶部１２に保持しておく。価格変更予約ファイルは、商品の申込番号、価格変更の時間、変更後の価格などのリストである。
図１４のＳ１４２のステップにおいて端末５がＥＣサイト管理サーバ４にアクセスし、Ｓ１４３のステップにおいてショッピングカート情報の代わりに価格変更ファイルを受信し、Ｓ１４４、Ｓ１４５の段階で価格変更予約ファイルに含まれる商品に対して、価格変更の時間が経過したかどうかを確認し、価格変更の時間が経過した商品のリンクエリア２０１の領域または周辺に、価格変更済を示す吹き出しオブジェクト２０５を表示する。
図１９では、「特価販売は終了しました。」の文字を含む吹き出しオブジェクト２０５が表示されている。
【００８４】
従来の電子チラシでは、ＥＣサイトと連携しないので、電子チラシに記載されている価格とＥＣサイトの商品購入ページに記載されている価格が異なってしまう場合が多かった。これでは、ユーザが特価販売と勘違いして通常価格で購入してしまうケースも出てくるので、非常に問題があった。
本発明の実施の形態では、図１８、図１９に示すように、ＥＣサイトと連携して、価格変更までの時間または価格変更済を示す吹き出しオブジェクト２０５を表示する。これによって、特価販売がいつ終わるのか、また既に終わってしまったのかをユーザに知らせることができ、ユーザが価格を勘違いして購入することを防ぐことができる。
【００８５】
図２０は、商品の在庫数を示す吹き出しオブジェクト２０５を示す画像例である。この例では、商品の在庫数を電子チラシ３５に表示する。
ＥＣサイト管理サーバ４は、商品ごとの在庫数を示す在庫ファイルを記憶部１２に保持しておく。在庫ファイルは、商品の申込番号と在庫数のリストである。尚、在庫ファイルは、商品が購入されるたびに、ＥＣサイト管理サーバ４が更新をする。
図１４のＳ１４２のステップにおいて端末５がＥＣサイト管理サーバ４にアクセスし、Ｓ１４３のステップにおいてショッピングカート情報の代わりに在庫ファイルを受信し、Ｓ１４４、Ｓ１４５の段階で在庫ファイルに含まれる商品に対して、リンクエリア２０１の領域または周辺に、商品の在庫を示す吹き出しオブジェクト２０５を表示する。
図２０では、「在庫数は残り３０個！」の文字を含む吹き出しオブジェクト２０５が表示されている。
【００８６】
従来の電子チラシでは、ＥＣサイトと連携しないので、在庫数をユーザに知らせることができなかった。本発明の実施の形態では、図２０に示すように、ＥＣサイトと連携して、商品の在庫を示す吹き出しオブジェクト２０５を表示する。これによって、電子チラシ３５において一覧形式でユーザに在庫数を知らせることができるので、ユーザは残り少ない商品から商品購入ページを確認し、購入機会の喪失を防ぐことができる。
【００８７】
また、前述したＥＣサイト情報反映手段では、情報を提供する相手として商品購入者のみを前提としていたが、小売店販売担当者に対して、商品購入者とは異なる情報を提供するようにしても良い。
例えば、ＥＣサイト管理サーバ４の記憶部１２には、「売上データ」、「在庫・発注状況」、「前年成績」等の情報を格納しておく。ＥＣサイト管理サーバ４は、図１４のＳ１４２のステップにおいて、アクセスしてきたユーザが商品購入者なのか、または小売店販売担当者なのかを識別し、ユーザが小売店販売担当者であった場合には、「売上データ」、「在庫・発注状況」、「前年成績」等の情報を反映し、リンクエリア２０１の領域または周辺に表示する。また、ユーザが商品購入者であった場合には、前述したショッピングカート等の情報を反映し、リンクエリア２０１の領域または周辺に表示する。商品購入者と小売店販売担当者を識別するための情報は、例えば、ＥＣサイト管理サーバ４の記憶部１２に記憶されているユーザ情報を利用する。
これによって、ユーザごとに適切な情報を提供することができる。特に、小売店販売担当者は、電子チラシ３５の広告効果を電子チラシ３５上で直接確認することができる。
【００８８】
以上、添付図面を参照しながら、本発明に係る電子チラシ制作装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８９】
１………電子チラシシステム
２………電子チラシ制作装置
３………電子チラシ配信サーバ
４………ＥＣサイト管理サーバ
５………端末
６………ネットワーク
２１………ＤＴＰアプリケーション
２２………位置座標抽出ツール
２３………電子チラシ作成ツール
３１………紙媒体用原稿データ
３２………紙面データ
３３………位置座標リスト
３４………リンク情報リスト
３５………電子チラシ
３６………紙面データ
３７………参照リスト
３８………ＥＣサイト情報反映プログラム
３９………チラシ閲覧プログラム
４１………商品識別オブジェクト
２０１………リンクエリア
２０３………登録済を示すオブジェクト
２０５………吹き出しオブジェクト
【図１】
2011070433.tif 000003
【図２】
2011070433.tif 000004
【図３】
2011070433.tif 000005
【図５】
2011070433.tif 000006
【図６】
2011070433.tif 000007
【図７】
2011070433.tif 000008
【図８】
2011070433.tif 000009
【図９】
2011070433.tif 000010
【図１０】
2011070433.tif 000011
【図１１】
2011070433.tif 000012
【図１２】
2011070433.tif 000013
【図１３】
2011070433.tif 000014
【図１４】
2011070433.tif 000015
【図１６】
2011070433.tif 000016
【図４】
2011070433.tif 000017
【図１５】
2011070433.tif 000018
【図１７】
2011070433.tif 000019
【図１８】
2011070433.tif 000020
【図１９】
2011070433.tif 000021
【図２０】
2011070433.tif 000022